(57)【要約】      （修正有）【課題】  メモリカードがより一層挿入し易いカードスロットを備えた電子機器、或いは記録装置、或いは液体噴射装置を提供すること。【解決手段】  着脱自在なメモリカードを挿脱する為のカードスロット２０の奥には、メモリカードが装着されるコネクタ２６が、フレーム２７に設けられている。カードスロット２０の下縁２５ａとコネクタ２６との隙間を塞ぐフレーム２７は、そのエッジ２７ｂがカードスロット２０の下縁２５ａに対して下方に位置するとともに、メモリカードの挿入方向に向かってコネクタ２６の間口に接続する形状を有している。【選択図】図６
2006277188.tif 000002
【特許請求の範囲】
【請求項１】
着脱自在なメモリを挿脱する為の開口部と、
当該開口部の奥に設けられ前記メモリが装着されるコネクタと、を備えた電子機器であって、
前記開口部の下縁と前記コネクタとの間の隙間を塞ぐプレート状部材を備え、
当該プレート状部材は、そのエッジが前記開口部の下縁に対して下方に位置するとともに、前記メモリの挿入方向に向かって前記コネクタの間口に接続する形状を有している、
ことを特徴とする電子機器。
【請求項２】
請求項１において、前記プレート状部材が金属板材によって形成され、
当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されている、
ことを特徴とする電子機器。
【請求項３】
被記録媒体に記録を行う記録ヘッドを備えた記録装置であって、
着脱自在なメモリを挿脱する為の開口部と、
当該開口部の奥に設けられ前記メモリが装着されるコネクタと、
前記開口部の下縁と前記コネクタとの間の隙間を塞ぐプレート状部材と、を備え、
当該プレート状部材は、そのエッジが前記開口部の下縁に対して下方に位置するとともに、前記メモリの挿入方向に向かって前記コネクタの間口に接続する形状を有している、
ことを特徴とする記録装置。
【請求項４】
請求項３において、前記プレート状部材が金属板材によって形成され、
当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されている、
ことを特徴とする記録装置。
【請求項５】
被噴射媒体に液体噴射を行う液体噴射ヘッドを備えた液体噴射装置であって、
着脱自在なメモリを挿脱する為の開口部と、
当該開口部の奥に設けられ前記メモリが装着されるコネクタと、
前記開口部の下縁と前記コネクタとの間の隙間を塞ぐプレート状部材と、を備え、
当該プレート状部材は、そのエッジが前記開口部の下縁に対して下方に位置するとともに、前記メモリの挿入方向に向かって前記コネクタの間口に接続する形状を有している、
ことを特徴とする液体噴射装置。
【発明の詳細な説明】
【技術分野】
【０００１】
本発明は、着脱自在なメモリを挿脱する為の開口部と、当該開口部の奥に設けられ前記メモリが装着されるコネクタと、を備えた電子機器並びに記録装置および液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
電子機器或いは記録装置或いは液体噴射装置の一例としてインクジェットプリンタがある。インクジェットプリンタには、専ら記録（印刷）データを送信するパーソナルコンピュータ等と接続され、パーソナルコンピュータから受信した記録データに従って記録動作を実行するものがある一方で、特許文献１に示すように、近年のデジタルスチルカメラの普及に伴い、パーソナルコンピュータ等との接続を必要とせず、デジタルスチルカメラに着脱自在に装着されるメモリカードをそのまま装着可能なスロット（開口部）を備え、そしてインクジェットプリンタ単独で記録動作を実行可能なものが出回っている。そして、メモリカードを挿脱する為のスロットの奥側には、特許文献２に示すようにメモリカードを装着するコネクタが設けられている。
【０００４】
【特許文献１】特開２００３−１７５６５７号公報
【特許文献２】特開２００４−２２２４０号公報
【発明の開示】
【発明が解決しようとする課題】
【０００５】
ここで、メモリカードを挿脱する為のスロットと、メモリカードを装着するコネクタの間口とを隙間なく密着させることは組立精度上困難であるので、設計上両者の間に隙間を設けることになる。また、メモリカードを装着するコネクタには、間口に大きな切り欠きを有するものがあり、その様なコネクタを用いる場合には前記切り欠きによってスロットの下縁とコネクタとの間に大きな隙間が形成される。
【０００６】
しかしこのような隙間はメモリカード挿入時に引っ掛かりを招いたり、或いは隙間が大きいとその隙間にメモリカードが入りこんでしまうといった問題を招くことになる。従って、上記隙間は何らかの部材によって塞ぐ構成を採る必要がある。
【０００７】
図７乃至図９はその一例を示すものであり、図７はインクジェットプリンタに設けられたカードスロット５０、５４、５５の斜視図、図８はメモリカードを装着するコネクタ５３およびその取付部の平面図、図９は同側断面図である。  
図７に示すように、インクジェットプリンタの外装パネル５１にはカードスロット５０が形成されている。尚、規格の異なるメモリカードを装着するために別のカードスロット５４、５５も形成されているが、以下ではカードスロット５０について説明する。
【０００８】
カードスロット５０の奥には、図８及び図９に示すようにメモリカードを装着するコネクタ５３が金属フレーム５２に設けられている。コネクタ５３は、その間口に、平面視において台形の形状を成す切り欠き５３ａを有しており、この切り欠き５３ａによって、コネクタ５３と、カードスロット５０の下縁５１ａとの間には大きな隙間が形成された状態となっている。従ってこの隙間を塞いでメモリカードの引っ掛かりや誤挿入を防止する為に、金属フレーム５２には凸形状即ち絞り加工部５２ａが形成されている。
【０００９】
この絞り加工部５２ａは、断面視において図９に示すようにカードスロット５０の下縁５１ａとほぼ同一レベルの位置（高さ）から、メモリカード挿入方向（図９の右方向）に延びるような形状を有し、これによってコネクタ５３と、カードスロット５０の下縁５１ａとの間の隙間が塞がれた状態となっている。尚、ここでの隙間とは、下縁５１ａとコネクタ５３の前縁との間の隙間ａおよび、コネクタ５３に切り欠き５３ａが形成されたことによる下縁５１ａとコネクタ５３との隙間ｂの双方を意味する。
【００１０】
しかし、図７乃至図９に示す絞り加工部５２ａの形態であると、カードスロット５０にメモリカードを挿入した際に、当該メモリカードが金属フレーム５２のエッジ５２ｂに引っ掛かり易く、特に外装パネル５１を樹脂材料によって形成する場合にはメモリカード挿入時にカードスロット５０の下縁５１ａが撓みやすく、より一層引っ掛かり易くなり、メモリカードの挿入性が低下するという問題が生じる。  
また、メモリカードの挿入性をより一層向上させることは、ユーザフレンドリ性の観点からより一層望まれることである。
【００１１】
そこで本発明はこの様な問題に鑑みなされたものであり、その目的は、メモリカードがより一層挿入し易いカードスロットを備えた電子機器、或いは記録装置、或いは液体噴射装置を提供することにある。
【課題を解決するための手段】
【００１２】
上記課題を解決するために、本発明の第１の態様は、着脱自在なメモリを挿脱する為の開口部と、当該開口部の奥に設けられ前記メモリが装着されるコネクタと、を備えた電子機器であって、前記開口部の下縁と前記コネクタとの間の隙間を塞ぐプレート状部材を備え、当該プレート状部材は、そのエッジが前記開口部の下縁に対して下方に位置するとともに、前記メモリの挿入方向に向かって前記コネクタの間口に接続する形状を有していることを特徴とする。
【００１３】
上記態様によれば、着脱自在なメモリを挿脱する為の開口部の下縁と、メモリが装着されるコネクタとの間の隙間を塞ぐプレート状部材は、そのエッジが前記開口部の下縁に対して下方に位置するとともに、メモリの挿入方向に向かって前記コネクタの間口に接続する形状を有しているので、前記開口部からメモリを挿入する際に、その挿入角度が多少ばらついてもメモリが前記プレート状部材のエッジに引っ掛かることがなく、従ってメモリを前記開口部へ挿入する際の自由度が向上するとともに、前記開口部を大きくとることができるので、部品の製造誤差や組立誤差を吸収することができる。
【００１４】
本発明の第２の態様は、上記第１の態様において、前記プレート状部材が金属板材によって形成され、当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されていることを特徴とする。
【００１５】
上記態様によれば、前記プレート状部材が金属板材によって形成され、当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されていることから、前記コネクタの間口に切り欠きが形成されていても、当該切り欠き部を、絞り加工によって形成された凸形状で容易に塞ぐことができる。
【００１６】
本発明の第３の態様は、被記録媒体に記録を行う記録ヘッドを備えた記録装置であって、着脱自在なメモリを挿脱する為の開口部と、当該開口部の奥に設けられ前記メモリが装着されるコネクタと、前記開口部の下縁と前記コネクタとの間の隙間を塞ぐプレート状部材と、を備え、当該プレート状部材は、そのエッジが前記開口部の下縁に対して下方に位置するとともに、前記メモリの挿入方向に向かって前記コネクタの間口に接続する形状を有していることを特徴とする。
【００１７】
上記態様によれば、着脱自在なメモリを挿脱する為の開口部の下縁と、メモリが装着されるコネクタとの間の隙間を塞ぐプレート状部材は、そのエッジが前記開口部の下縁に対して下方に位置するとともに、メモリの挿入方向に向かって前記コネクタの間口に接続する形状を有しているので、前記開口部からメモリを挿入する際に、その挿入角度が多少ばらついてもメモリが前記プレート状部材のエッジに引っ掛かることがなく、従ってメモリを前記開口部へ挿入する際の自由度が向上するとともに、前記開口部を大きくとることができるので、部品の製造誤差や組立誤差を吸収することができる。
【００１８】
本発明の第４の態様は、上記第３の態様において、前記プレート状部材が金属板材によって形成され、当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されていることを特徴とする。
【００１９】
上記態様によれば、前記プレート状部材が金属板材によって形成され、当該金属板材のエッジを残して絞り加工が施されることで、前記プレート状部材のエッジが前記開口部の下縁に対して下方に位置するとともに、前記メモリの挿入方向に向かって前記コネクタの間口に接続する形状が形成されていることから、前記コネクタの間口に大きな切り欠きが形成されていても、当該切り欠き部を、絞り加工によって形成された凸形状で容易に塞ぐことができる。
【００２０】
本発明の第５の態様は、被噴射媒体に液体噴射を行う液体噴射ヘッドを備えた液体噴射装置であって、着脱自在なメモリを挿脱する為の開口部と、当該開口部の奥に設けられ前記メモリが装着されるコネクタと、前記開口部の下縁と前記コネクタとの間の隙間を塞ぐプレート状部材と、を備え、当該プレート状部材は、そのエッジが前記開口部の下縁に対して下方に位置するとともに、前記メモリの挿入方向に向かって前記コネクタの間口に接続する形状を有していることを特徴とする。
【発明を実施するための最良の形態】
【００２１】
以下、図１乃至図６を参照しつつ、本発明の実施形態について説明する。ここで、図１は本発明に係る「電子機器」または「記録装置」または「液体噴射装置」の一例としてのインクジェットプリンタ（以下「プリンタ」と言う）１００を前方側から見た外観斜視図、図２は同背面図、図３及び図４はカードスロット２０乃至２２の斜視図、図５はメモリカードを装着するコネクタ２６およびその取付部の平面図、図６は同側断面図である。
【００２２】
図１及び図２において、プリンタ１００は、被記録媒体或いは被噴射媒体の一例としての比較的サイズの小さいハガキ、Ｌ判サイズ等の記録用紙への記録に適するように、且つ、運搬の容易性を考慮して小型サイズに構成されたものである。また、本実施形態に係るプリンタ１００は、記録用紙としてハガキやコート層を有する厚手の専用紙を用いることを前提に構成された、所謂写真印刷専用のプリンタである。
【００２３】
このプリンタ１００は、プリンタ本体の後部に、積重された複数枚の記録用紙を傾斜姿勢に支持する被記録媒体給送装置１を備え、プリンタ本体の前部には、記録の行われた記録用紙をスタックするスタッカ２が、図１に示す様に略垂直に立設された収納状態と、プリンタ前方側に開いて記録用紙をスタック可能な使用状態（図示せず）とを切り換え可能に設けられている。プリンタ本体中程には液体噴射ヘッドの一例としての記録ヘッド１９を備えるとともにキャリッジガイド軸１８によって主走査方向にガイドされるキャリッジ１７が設けられ、キャリッジ１７の主走査方向への移動動作とともに記録ヘッド１９から液体の一例としてのインクが記録用紙へ吐出され、記録が実行される。
【００２４】
プリンタ１００の上面中央には、電源ボタン、各種印刷設定ボタン、印刷実行ボタン等によって構成された操作部３と、印刷設定内容や現在の動作ステータス等を表示する表示部４が配置されている。プリンタ本体の前部右側には、画像データ等が記憶された「着脱自在なメモリ」の一例としてのメモリカード（図５において符号Ｃで示す）を挿脱するための、「開口部」としてのカードスロット２０、２１、２２が設けられており、即ちプリンタ１００は、メモリカードＣから画像データを読み込み、印刷データを生成して自ら印刷実行可能な所謂スタンドアロンプリンタに構成されている。尚、カードスロット２０、２１、２２は通常、開閉自在なカードスロットカバー５によって覆われた状態となっている。
【００２５】
また、プリンタ１００は、ＵＳＢ（Universal Serial Bus）インタフェースを備えており、ＵＳＢケーブル（図示せず）を介して外部装置（例えば、パーソナル・コンピュータ）との情報の送受信が可能に構成されている。図２において符号１５は、ＵＳＢケーブル接続部を示している。
【００２６】
一方、プリンタ本体背面には、プリンタ本体底部に設けられる薄い箱状体を成すインクカートリッジ６を挿脱する為の開口部（図示せず）が設けられているとともに、当該開口部を覆うインクカートリッジスロットカバー７が、開閉（回動）自在に取り付けられている。
【００２７】
また、プリンタ１００は、どの様な場所においても高画質プリントを実行可能とする為に、その電力源として駆動用のバッテリー８をプリンタ本体上部に着脱自在に備えている。このバッテリー８は、プリンタ本体背面に形成されたバッテリースロット（図示せず）に装着される。そしてまた、当該バッテリースロットには、当該バッテリースロットを覆うバッテリースロットカバー９が、開閉（回動）自在に設けられている。尚、図２において符号１６は図示しないＡＣアダプタの端子が接続される電力入力部を示しており、これによって家庭用電源からも電力の供給を受けられるようになっている。
【００２８】
プリンタ１００の外観を構成するハウジングは複数の部材によって構成され、図１及び図２にはその中で上部パネル１０と、ハウジング左１１と、ハウジング右１２と、サイドパネル右１３と、が示されている。そして、ハウジング左１１とハウジング右１２とには、手提げ用ハンドル１４が、プリンタ本体を側視して回動自在に取り付けられていて、これによってプリンタ１００を持ち運ぶ際に手提げ用ハンドル１４を把持すれば、プリンタ１００を容易に持ち運ぶことができるようになっている。
【００２９】
尚、プリンタ１００のハウジング構造は、上下に分割された装置本体をハウジング左１１とハウジング右１２とでキャップするような構造となっていて、従って手提げ用ハンドル１４によってプリンタ１００を持ち運ぶ場合でも、装置本体が上下に分離する様なこともなく、運搬の際の安全性（即ちハウジングの機械的強度）が向上している。
【００３０】
続いて、カードスロット２０について詳説する。尚、規格の異なるメモリカードを装着するために別のカードスロット２１、２２も設けられているが、以下ではカードスロット２０について説明する。  
図３に示すように、カードスロット２０は樹脂材料によって形成された外装パネル２５に形成されていて、当該外装パネル２５は、図４に示すように金属材によって形成される筐体２３と係合した状態で取り付けられている。即ち、筐体２３には掛止穴２３ａが形成されていて、当該掛止穴２３ａに、外装パネル２５に形成された掛止フック２５ｃが掛止することで、外装パネル２５の手前側への浮きが防止されている。
【００３１】
カードスロット２０の奥には、図５及び図６に示すようにメモリカードＣを装着するコネクタ２６が設けられている。コネクタ２６は、その間口に、平面視において台形の形状を成す切り欠き２６ａを有しており、この切り欠き２６ａによって、コネクタ２６とカードスロット２０との間には大きな隙間が形成された状態となっている。
【００３２】
コネクタ２６はメモリカードＣの挿脱方向（図６の左右方向）に延びる「プレート状部材」としてのフレーム２７に取り付けられる。フレーム２７は金属板材によって形成されていて、そのエッジ２７ｂが、外装パネル２５の内側面にまで延設されるとともに、平面視において台形の形状を成す絞り加工部２７ａが、エッジ２７ｂを残すようにエッジ２７ｂの内側に形成されている。これによりフレーム２７は、そのエッジ２７ｂがカードスロット２０の下縁２５ａに対して下方に位置するとともに、メモリカードＣの挿入方向（図６の右方向）に向かってコネクタ２６の間口に接続する形状を有している。
【００３３】
以上のように形成されたフレーム２７は、図６に示すようにカードスロット２０の下縁２５ａとコネクタ５３の前縁との間の隙間ａおよび、コネクタ２６に切り欠き２６ａが形成されたことによる下縁２５ａとコネクタ２６との隙間ｂを塞ぐ機能を果たす。従ってこれにより、メモリカードＣをカードスロット２０に挿入する際に、メモリカードＣが隙間ａ或いは隙間ｂに入り込んでしまう不具合を防止することができる。また、絞り加工部２７ａは、コネクタ２６の切り欠き２６ａにちょうど嵌合するように閉領域形状に形成されているとともに、その上面が、カードスロット２０の下縁２５ａと同一レベル面にあるので、これによってカードスロット２０から挿入されたメモリカードＣを、コネクタ２６の奥へと円滑に案内することができる。
【００３４】
そしてまた、フレーム２７が、そのエッジ２７ｂがカードスロット２０の下縁２５ａに対して下方に位置するとともに、メモリカードＣの挿入方向に向かってコネクタ２６の間口に接続する形状を有しているので、カードスロット２０からメモリカードＣを挿入する際に、その挿入角度が多少ばらついてもメモリカードＣがフレーム２７のエッジ２７ｂに引っ掛かることがなく、従ってメモリカードＣをカードスロット２０に挿入する際の自由度が向上するとともに、カードスロット２０の開口を大きくとることができるので、部品の製造誤差や組立誤差を吸収することができ、コストアップを防止することができる。
【００３５】
尚、以上においては本発明をインクジェットプリンタに適用した例を説明したが、これに限られず、着脱自在なメモリを挿脱する為のスロットを備えた電子機器であれば、どのようなものにも適用することが可能である。
【図面の簡単な説明】
【００３６】
【図１】本発明に係るプリンタの外観斜視図。
【図２】本発明に係るプリンタの背面図。
【図３】カードスロットの斜視図。
【図４】カードスロットの斜視図。
【図５】コネクタおよびその取付部の平面図。
【図６】コネクタおよびその取付部の側断面図。
【図７】本発明の課題を説明する為のカードスロットの斜視図。
【図８】本発明の課題を説明する為のコネクタおよびその取付部の平面図。
【図９】本発明の課題を説明する為のコネクタおよびその取付部の側断面図。
【符号の説明】
【００３７】
１  被記録媒体給送装置、２  スタッカ、３  操作部、４  表示部、５  カードスロットカバー、６  インクカートリッジ、７  インクカートリッジスロットカバー、８  バッテリー、９  バッテリースロットカバー、１０  上部パネル、１１  ハウジング左、１２  ハウジング右、１３  サイドパネル右、１４  手提げ用ハンドル、１５  ＵＳＢ接続部、１６  電源入力部、１７  キャリッジ、１８  キャリッジガイド軸、１９  記録ヘッド、２０、２１、２２  カードスロット、２３  筐体、２５  外装パネル、２５ａ  下縁、２６  コネクタ、２６ａ  切り欠き部、２７  フレーム、２７ａ  絞り加工部、２７ｂ  エッジ、１００  インクジェットプリンタ、Ｃ  メモリカード
【図１】
2006277188.tif 000003
【図２】
2006277188.tif 000004
【図３】
2006277188.tif 000005
【図４】
2006277188.tif 000006
【図５】
2006277188.tif 000007
【図６】
2006277188.tif 000008
【図７】
2006277188.tif 000009
【図８】
2006277188.tif 000010
【図９】
2006277188.tif 000011